(57)【要約】【課題】梱包材の軽量化及び簡素化を図ることができ、コストの削減及び作業性の向上を図ることができる食器洗浄機の梱包装置を提供する。【解決手段】本体２上部に形成された洗浄室３と、本体２後部に立設された背板１１と、この背板１１の案内部材２０により上下方向移動自在に支持され、洗浄室３を開閉するドア１７と、このドア１７の外側に位置してドア１７を開閉するための把手２７とを備えた食器洗浄機１を梱包するものであって、洗浄室３を閉じた状態のドア１７と把手２７間に挿入され、ドア１７の左右前隅部に立設されたポスト３３、３３と、ドア１７部分に上から被せられた外装箱４０と、この外装箱４０とドア１７の上隅部間に設けられた緩衝材３６、３７、３８と、食器洗浄機１が載置された木枠３１から外装箱４０に渡って締め付けられたバンド４１とを備えた。【選択図】      図６
2004284599.tif 000002
【特許請求の範囲】
【請求項１】
本体上部に形成された洗浄室と、前記本体後部に立設された背板と、該背板の案内部材により上下方向移動自在に支持され、前記洗浄室を開閉する扉と、該扉の外側に位置して当該扉を開閉するための把手とを備えた食器洗浄機を梱包する梱包装置であって、
前記洗浄室を閉じた状態の前記扉と前記把手間に挿入され、当該扉の左右前隅部に立設されたポストと、前記扉部分に上から被せられた外装箱と、該外装箱と前記扉の上隅部間に設けられた緩衝材と、前記食器洗浄機が載置された底板から前記外装箱に渡って締め付けられたバンドとを備えたことを特徴とする食器洗浄機の梱包装置。
【発明の詳細な説明】
【０００１】
【発明の属する技術分野】
本発明は、本体上部に洗浄室が形成され、この洗浄室を開閉する扉と、扉の外側に位置して当該扉を開閉するための把手とを備えた食器洗浄機の梱包装置に関するものである。
【０００２】
【従来の技術】
従来この種の食器洗浄機の梱包は、木材を釘を用いて組み合わせて木枠を形成し、梱包材となしていた。この木枠の梱包材は、製品である食器洗浄機を取り出す際に解体され、その後廃棄することとなっている。しかしながら、梱包材である木材を廃棄するためには、コストがかかるのみ成らず、公害も生じるものであり、問題とされていた。そこで、再利用することが可能で、複数種類の製品に対応することができる梱包材が開発されている（特許文献１）。
【０００３】
しかしながら、再利用可能な梱包材であっても、最終的には、廃棄の問題が生じるため、一般的には、廃棄が容易である段ボールが梱包材として使用されている。
【０００４】
【特許文献１】
特開平９−６６９８４号公報
【０００５】
【発明が解決しようとする課題】
従来の段ボールによる食器洗浄機の梱包では、当該食器洗浄機の上端から下端までを覆い隠すことが可能な背の高い段ボールを用いていた。ここで、製品は２段又は複数段積まれて保管されることから、段ボール自体で製品の圧縮荷重を受けることが可能な構成とされていたため、当該段ボール自体の重量が大きくなるという問題があった。
【０００６】
そのため、生産時における作業者にとって、作業効率の悪化を招くという問題があった。また、材料費や物流費においてもコストが高騰するという問題があった。
【０００７】
そこで、本発明は従来の技術的課題を解決するために成されたものであり、梱包材の軽量化及び簡素化を図ることができ、コストの削減及び作業性の向上を図ることができる食器洗浄機の梱包装置を提供することを目的とする。
【０００８】
【課題を解決するための手段】
本発明の食器洗浄機の梱包装置は、本体上部に形成された洗浄室と、本体後部に立設された背板と、該背板の案内部材により上下方向移動自在に支持され、洗浄室を開閉する扉と、該扉の外側に位置して当該扉を開閉するための把手とを備えた食器洗浄機を梱包するものであって、洗浄室を閉じた状態の扉と把手間に挿入され、当該扉の左右前隅部に立設されたポストと、扉部分に上から被せられた外装箱と、該外装箱と扉の上隅部間に設けられた緩衝材と、食器洗浄機が載置された底板から外装箱に渡って締め付けられたバンドとを備えたことを特徴とする。
【０００９】
本発明によれば、本体上部に形成された洗浄室と、本体後部に立設された背板と、該背板の案内部材により上下方向移動自在に支持され、洗浄室を開閉する扉と、該扉の外側に位置して当該扉を開閉するための把手とを備えた食器洗浄機を梱包する梱包装置であって、洗浄室を閉じた状態の扉と把手間に挿入され、当該扉の左右前隅部に立設されたポストと、扉部分に上から被せられた外装箱と、該外装箱と扉の上隅部間に設けられた緩衝材と、食器洗浄機が載置された底板から外装箱に渡って締め付けられたバンドとを備えたので、従来の如く大型の梱包材を用いることなく、簡素な構成にて食器洗浄機の梱包を行うことができるようになる。
【００１０】
特に、扉の左右前隅部には、ポストが立設され、扉部分の上から外装箱が被せられることから、上方からの荷重を左右前隅部に設けられたポスト及び外装箱の後端に対応する食器洗浄機の背板によって受けることができるようになり、安定して、複数の食器洗浄機を上下に載置して保管することができるようになる。
【００１１】
また、軽量化及び簡素化された梱包材にて食器洗浄機を梱包することができるようになり、コストの削減及び搬送作業を行う作業者の負担を軽減することができるようになる。
【００１２】
【発明の実施の形態】
次に、図面に基づき本発明の実施形態を詳述する。図１は本発明を適用する食器洗浄機１の後方斜視図、図２は食器洗浄機１の縦断正面図を示している。各図において、食器洗浄機１の本体２の後部には背板１１が立設されており、この背板１１の前側に本体２の上部に位置して洗浄室３が画成されている。この洗浄室３の上面、前面及び左右側面は扉として箱状のドア１７によって開閉される。
【００１３】
このドア１７は、背板１１の前面両側に上下に渡って取り付けられた案内部材２０に、その両側後部を上下移動自在に支持されており、降下した状態で前記洗浄室３を閉塞し、上昇した状態で洗浄室３の前面及び左右面を開放するものである。
【００１４】
また、案内部材２０の上部後側には把手２７がその後端の回動支点において回動自在に枢支されている。この把手２７は前辺と両側辺から成る全体としては略コ字状を呈しており、ドア１７の前面及び左右面の外側に位置している（図２では前面側を削除）。
【００１５】
一方、ドア１７の中央よりも前側の両側面外側には連結部材２６が設けられ、その下端においてドア１７に回動自在に枢支されている。そして、この連結部材２６の上端は把手２７の左右辺の中途部に回動自在に連結されている。
【００１６】
ドア１７が閉じた状態で把手２７は、その前部が低く傾斜した状態となり、連結部材２６は略起立した状態となる。また、ドア１７内には、図示しないバネ部材が設けられており、把手２７を少許上方に引き上げることにより、バネ部材の付勢力によりドア１７は上方に移動し、ドア１７が開放される。そして、把手２７を少許下方に引き下げることにより、バネ部材の付勢力によりドア１７は下方に移動し、ドア１７が閉鎖される。
【００１７】
また、前記案内部材２０の上端にはドア１７の開放を検出するためのドア開スイッチ２１が取り付けられており、案内部材２０の下端にはドア１７の閉鎖を検出するためのドア閉スイッチ２２が取り付けられている。また、背板１１の右側外面には、上下に渡って排気筒２８が設けられている。
【００１８】
一方、洗浄室３の上部には洗浄水を下向きに噴射する複数の洗浄ノズル口を有する上洗浄ノズル４が回転可能に配設されると共に、この上洗浄ノズル４の若干下位には上洗浄ノズル４と同心上で回転する上すすぎノズル５が配設されている。この上すすぎノズル５は、すすぎ水を下向きに噴射する複数のすすぎノズル口を有している。
【００１９】
また、洗浄室３の下部には洗浄水を上向きに噴射する複数の洗浄ノズル口を有する下洗浄ノズル６が回転可能に配設され、この下洗浄ノズル６の若干上位にはすすぎ水を上向きに噴射する複数のすすぎノズル口を有する下すすぎノズル７が下洗浄ノズル６と同心上で回転可能に配設されている。
【００２０】
他方、本体２には＋８０℃程の高温のすすぎ水を貯留するためのブースタタンク１５が並設されている。このブースタタンク１５と上下すすぎノズル５、７の間には、ブースタタンク１５に貯留した前記すすぎ水を、すすぎ配管１９を介して上下すすぎノズル５、７に給送するためのすすぎポンプ１６が配設されている。このブースタタンク１５内には、その所定水位を規制する図示しないオーバーフロー管が立設されている。また、ブースタタンク１５には瞬間湯沸器等から成る給湯手段から前記すすぎ水が供給（給湯）される。
【００２１】
洗浄室３の下方には図示しないフィルタによって洗浄室３と区画された洗浄タンク１２が設けられている。この洗浄タンク１２内にはオーバーフロー管１３が立設されており、洗浄タンク１２の洗浄水面を所定水位に規制する位置にて、洗浄タンク１２内に開口している。また、上下洗浄ノズル４、６と洗浄タンク１２の間には、洗浄タンク１２に貯留される洗剤が混入した＋６０℃程の洗浄水を、洗浄配管１８を介して上下洗浄ノズル４、６に循環するための洗浄ポンプ１４が配設されている。
【００２２】
以上の構成により、図示しない洗浄開始スイッチが操作されると、同じく図示しない制御装置により、給湯運転、洗浄運転、すすぎ運転が実行され、洗浄室３内に収容された食器等の洗浄が行われる。
【００２３】
次に、食器洗浄機１の梱包装置について図３乃至図６を参照して説明する。図３は上部梱包材３０を取り付けた状態の食器洗浄機１の正面図、図４は図３の側面図、図５は図３の平面図、図６は梱包時の食器洗浄機１の正面図を示している。本実施例において食器洗浄機１は、木材を釘を用いて組み合わせて形成された木枠３１上に載置されている。尚、本実施例では、食器洗浄機１の下部を梱包するものとして木枠３１を用いているが、これ以外に段ボールなどの紙製の梱包材上に食器洗浄機１を載置しても良いものとする。
【００２４】
そして、食器洗浄機１のドア１７の前面には、段ボールなどの紙製の前面板３２がテープなどにより、ドア１７及び本体２に固定される。更に、この前面板３２の両側方には、ドア１７の上下に渡ってポスト３３、３３が設けられる。このポスト３３は、比較的板厚に形成され、圧縮荷重に耐えることが可能な段ボールにより構成された断面略Ｌ字状の部材であり、ドア１７と把手２７との間に挿入され、ドア１７の前隅角部を被覆するように設けられる。本実施例において、ポスト３３、３３の下端は、ドア１７の前下端が当接される本体前縁部２Ａに支持される。尚、本実施例では、各ポスト３３、３３は、ドア１７の上下に渡って構成されているが、これ以外にも、本体２の上下に渡って構成し、当該ポスト３３の下端を木枠３１にて支持しても良いものとする。
【００２５】
そして、このポスト３３、３３が設けられた食器洗浄機１の上方から上部梱包材３０を載置する。この上部梱包材３０は、段ボールにて形成される下面が開口した矩形体であり、前記食器洗浄機１の平面寸法よりも所定寸法分だけ大きく形成されている。この上部梱包材３０の前端には、前記ポスト３３、３３を食器洗浄機１のドア１７側に略きっちり当接させるためのポスト支持部３０Ａが形成されている。
【００２６】
このポスト支持部３０Ａは、図４に示す如く当該上部梱包材３０の前端を下方内側に複数回折り曲げることにより構成されていると共に、当該ポスト支持部３０Ａは、前端が前記把手２７の前端と略面一、若しくは、当該把手２７よりも前方に突出するように構成されている。
【００２７】
また、このポスト支持部３０Ａの側部後側、即ち、ポスト３３の外側に位置して、上部梱包材３０には、紙製の芯材を充填することにより形成された前隅部緩衝材３６、３６が図３及び図５に示す如く設けられている。尚、上部梱包材３０の両側端は、前記把手２７の側端と略面一、若しくは、当該把手２７よりも側方に突出して形成されており、前隅部緩衝材３６は、当該上部梱包材３０の側端と、食器洗浄機１の側面とを閉塞可能とする寸法に形成されているものとする。これにより、前隅部緩衝材３６は、食器洗浄機１のドア１７側に略きっちり当接されることとなる。
【００２８】
また、本実施例では、梱包対象となる食器洗浄機１の背板１１には、当該食器洗浄機１の右側に位置して排気筒２８が形成されているため、図５に示す如く排気筒２８の反対側、即ち、背板１１の左側に位置して、上部梱包材３０には、例えば、紙製の芯材を充填して形成された後部緩衝材３５が設けられている。この後部緩衝材３５は、前記排気筒２８の奥行き寸法分だけ食器洗浄機１側に突出して構成されている。
【００２９】
これにより、当該上部梱包材３０が食器洗浄機１の上方から取り付けられることにより、ポスト３３、３３は、上部梱包材３０に形成されたポスト支持部３０Ａにより、食器洗浄機１のドア１７側に略きっちり当接される。尚、梱包対象となる食器洗浄機１に排気筒２８が設けられていない場合には、上部梱包材３０に後部緩衝材３５を設けないものとする。
【００３０】
また、本実施例において、ドア１７の天面は、図４に示す如く前部から後部に渡って下方に向けて傾斜して形成されていることから、上部梱包材３０の後隅部２カ所には、紙製の芯材を充填することにより構成された後隅部緩衝材３７、３７が設けられる。この後隅部緩衝材３７、３７は、上面が前記前隅部緩衝材３６の上面と略面一とされると共に、下端がドア１７の天面よりも下側にまで延出して形成されている。
【００３１】
更に、この上部梱包材３０の後部には、図５に示す如くドア１７の後部天面と上部梱包材３０との間を閉塞する天面緩衝材３８、３８が設けられている。
【００３２】
上述した如き上部梱包材３０を食器洗浄機１の上側から被せることにより、当該上部梱包材３０に設けられた各緩衝材３５、３６、３７、３８が食器洗浄機１のドア１７の形状に合わせて効果的に被覆することができ、食器洗浄機１の上部を、天面が水平となるように、梱包することができるようになる。
【００３３】
そして、図６に示す如く上述した如く食器洗浄機１の上部に上部梱包材３０が取り付けられた状態で、該上部梱包材３０の上方から下方が開口した外装箱４０を被せる。当該外装箱４０は、本実施例では、ドア１７の全面を被覆する寸法に形成されている。
【００３４】
外装箱４０がドア１７に被せられた状態で、底板を構成する木枠３１から外装箱４０に渡って複数のバンド４１を締め付けることにより、木枠３１と、食器洗浄機１と外装箱４０とを一体とし、当該食器洗浄機１の梱包が完了する。
【００３５】
これにより、従来の如く大型の梱包材を用いることなく、簡素な構成にて食器洗浄機１の梱包を行うことができるようになる。特に、ドア１７の左右前隅部には、ポスト３３、３３が立設され、ドア１７部分の上から外装箱４０が被せられることから、上方からの荷重を左右前隅部に設けられたポスト３３、３３及び外装箱４０の後端に対応する食器洗浄機１の背板１１によって受けることができるようになり、安定して、複数の食器洗浄機１を上下に載置することができるようになる。
【００３６】
また、上述した如く軽量化及び簡素化された上部梱包材３０や外装箱４０にて食器洗浄機１を梱包することができるようになり、コストの削減及び搬送作業を行う作業者の負担を軽減することができるようになる。
【００３７】
尚、本実施例では、食器洗浄機１に直接ポスト３３や上部梱包材３０などを当接されているが、予め食器洗浄機１を袋にて覆ってから上述した如き梱包装置を取り付けても良いものとする。
【００３８】
【発明の効果】
以上詳述した如く本発明によれば、本体上部に形成された洗浄室と、本体後部に立設された背板と、該背板の案内部材により上下方向移動自在に支持され、洗浄室を開閉する扉と、該扉の外側に位置して当該扉を開閉するための把手とを備えた食器洗浄機を梱包する梱包装置であって、洗浄室を閉じた状態の扉と把手間に挿入され、当該扉の左右前隅部に立設されたポストと、扉部分に上から被せられた外装箱と、該外装箱と扉の上隅部間に設けられた緩衝材と、食器洗浄機が載置された底板から外装箱に渡って締め付けられたバンドとを備えたので、従来の如く大型の梱包材を用いることなく、簡素な構成にて食器洗浄機の梱包を行うことができるようになる。
【００３９】
特に、扉の左右前隅部には、ポストが立設され、扉部分の上から外装箱が被せられることから、上方からの荷重を左右前隅部に設けられたポスト及び外装箱の後端に対応する食器洗浄機の背板によって受けることができるようになり、安定して、複数の食器洗浄機を上下に載置して保管することができるようになる。
【００４０】
また、軽量化及び簡素化された梱包材にて食器洗浄機を梱包することができるようになり、コストの削減及び作業者への負担を軽減することができるようになる。
【図面の簡単な説明】
【図１】本発明を適用する食器洗浄機の後方斜視図である。
【図２】食器洗浄機の縦断正面図である。
【図３】上部梱包材を取り付けた状態の食器洗浄機の正面図である。
【図４】図３の側面図である。
【図５】図３の平面図である。
【図６】梱包時の食器洗浄機の正面図である。
【符号の説明】
１  食器洗浄機
２  本体
１１  背板
１７  ドア（扉）
２７  把手
２８  排気筒
３０  上部梱包材
３０Ａ  ポスト支持部
３１  木枠
３３  ポスト
３５  後部緩衝材
３６  前隅部緩衝材
３７  後隅部緩衝材
４０  外装箱
４１  ベルト
【図１】
2004284599.tif 000003
【図２】
2004284599.tif 000004
【図３】
2004284599.tif 000005
【図４】
2004284599.tif 000006
【図５】
2004284599.tif 000007
【図６】
2004284599.tif 000008